(57)【特許請求の範囲】
【請求項１】
敷地を整地して設置するプレキャストコンクリートブロックの基礎であって、
敷地に設置した基礎の上に架台の脚部を固定し、架台の取付部の上にソーラーパネルを取り付け、ソーラーパネルを発電効率が高くなる設計姿勢にするソーラーパネル設置用の基礎において、
架台の脚部の１箇所を支える単独の基礎にし、
単独の基礎は、敷地に設置する基部と、架台の脚部の１箇所を上端に固定する柱状部を設け、
基部は上面に竪穴を開口し、柱状部は基部の竪穴に挿入し、
竪穴内の柱状部は、下端を竪穴の底に当て、上端の架台固定位置を基部の上側に配置し、竪穴との間に隙間を形成し、竪穴の中心位置から前側、後側、左側又は右側のどの側にも傾斜可能にし、
竪穴内の柱状部は、竪穴の中心位置から傾いている姿勢又は傾いていない姿勢で基部に固定可能にし、
敷地に設置した基部が傾いていないときは、竪穴内の柱状部を竪穴の中心位置に保持して基部に固定する構成にし、
敷地に設置した基部が傾いているときは、竪穴内の柱状部を基部の傾きと反対側に傾けて竪穴の中心位置から傾いている姿勢で基部に固定し、基部の傾きに基づく架台固定位置のずれを低減する構成にしていることを特徴とするソーラーパネル設置用の基礎。
【請求項２】
基部は、複数の部分ブロックを積み上げて構成していることを特徴とする請求項１に記載のソーラーパネル設置用の基礎。
【請求項３】
竪穴内の柱状部と竪穴の間の隙間にセメントモルタル又はセメントペーストを詰めて基部と柱状部を一体化する構成にしていることを特徴とする請求項１又は２に記載のソーラーパネル設置用の基礎。
【請求項４】
竪穴内の柱状部と竪穴の間の隙間に楔を打ち込んで柱状部を基部に固定する構成にしていることを特徴とする請求項１、２又は３に記載のソーラーパネル設置用の基礎。
【請求項５】
柱状部は、下端面を凸状の球面にしていることを特徴とする請求項１〜４のいずれかに記載のソーラーパネル設置用の基礎。
【請求項６】
竪穴は、底面を凹状の球面又は円錐面にしていることを特徴とする請求項１〜５のいずれかに記載のソーラーパネル設置用の基礎。
【請求項７】
基部は、平面外形状を円形状、方形状又は多角形状にしていることを特徴とする請求項１〜６のいずれかに記載のソーラーパネル設置用の基礎。
【発明の詳細な説明】
【技術分野】
【０００１】
本発明は、太陽光で発電するソーラーパネルを設置するための基礎に関する。
【背景技術】
【０００２】
ソーラーパネルを地上に設置する場合、敷地を整地して地表を平坦水平にし、地表の平坦水平面に基礎を設置する。基礎の上には、架台を固定する。架台の上には、ソーラーパネルを取り付ける。
【０００３】
ソーラーパネルは、方形板状にしている。このソーラーパネルは、設置する際、太陽に対面させるため、北半球では南向きにし、前端を後端より低くして前下りの傾斜姿勢にする。その南向きの傾斜姿勢は、発電効率が高くなる姿勢、設計姿勢にする。
【０００４】
架台は、鋼材で構成している。ソーラーパネルを重ねて固定する方形枠状の取付部と、基礎に固定する脚部を備えている。脚部は、取付部の下側に設けている。
【０００５】
基礎は、コンクリートで構成している。プレキャストコンクリートブロックの基礎は、架台の１箇所を支える単独の小形の基礎と、架台の複数箇所又は全体を支える大型の基礎がある。単独の小形基礎は、１台の架台に対し複数個を使用する。基礎は、ソーラーパネルが受ける風の力で移動したり横転したりしない重量にしている。
【先行技術文献】
【特許文献】
【０００６】
【特許文献１】特開平９−７０１８８号公報
【発明の概要】
【発明が解決しようとする課題】
【０００７】
［課  題］
ソーラーパネルを地上に設置する場合、敷地を整地してプレキャストコンクリートブロックの基礎を設置したとき、地表の基礎設置部分が平坦水平面になっていないと、地表上の基礎は傾く。すると、基礎の上端の架台固定位置がずれる。架台が傾く。ソーラーパネルは、傾いて設計姿勢からずれる。発電効率が低くなることになる。また、基礎の架台固定位置がずれると、基礎に架台を固定する作業の手間が多くなることになる。
【０００８】
基礎は、大型になると、設置面積、整地面積が増え、整地の手間が増加する。また、重量が増加し、運搬や設置に手間が多く掛かる。大型の基礎は、大型の重機や施工機械が使用できない敷地では、設置が極めて困難になる。
敷地が山肌のような傾斜地である場合、平地である場合に比べ、整地の手間が多くなり、基礎の運搬や設置の手間が多くなる。
【０００９】
敷地の整地が不十分であっても、基礎の架台固定位置のずれが少ないことが望まれる。発電効率が低くならないこと、基礎に架台を固定する作業の手間が多くならないことが望まれる。
また、大型の重機や施工機械が使用できない敷地や、傾斜地の敷地であっても、整地の手間や基礎の運搬、設置の手間が少ないことが望まれる。
【００１０】
［着  想］
１．単独の小形の基礎
プレキャストコンクリートブロックの基礎は、架台の１箇所を支える単独の小形の基礎にする。大型の基礎に比べ、地表の基礎設置面積、整地面積が狭くなり、整地の手間が少なくなる。重量と大きさが小さくなり、運搬、設置の手間が少なくなる。
【００１１】
２．補正機構付きの基礎
単独の基礎は、敷地に設置したときの傾きが架台固定位置のずれに与える影響を小さくする補正機構を設ける。
補正機構付きの基礎は、敷地に設置する基部と、架台を上端に固定する柱状部を設ける。柱状部は、基部の上面に開口した竪穴に挿入する。竪穴内の柱状部は、竪穴の中心位置から前側、後側、左側又は右側のどの側にも傾斜可能にする。
【００１２】
敷地に設置した基部が傾いているときは、竪穴内の柱状部は、基部の傾きと反対側に傾ける。基部の傾きは、柱状部の傾きで補正する。竪穴内の柱状部は、竪穴の中心位置から傾いている姿勢で基部に固定する。すると、柱状部の上端の架台固定位置は、基部の傾きに基づくずれが柱状部の傾きで低減される。
敷地の整地が不十分で基部が傾いても、柱状部の架台固定位置のずれが大きくならない。ソーラーパネルの設計姿勢からのずれが大きくならない。発電効率の低下が少ない。基礎に架台を固定する作業の手間が多くならない。
【００１３】
更に、補正機構付きの基礎は、運搬時、設置時には、基部と柱状部が一体化されていない。各部は、全体より重量と大きさが小さくなり、運搬、設置の手間が少なくなる。
【００１４】
３．部分ブロック積上げ式の基部
補正機構付きの基礎は、基部を複数の部分ブロックを積み上げて構成する。各段の部分ブロックは、重量と大きさが小さくなり、運搬、設置の手間が少なくなる。また、部分ブロックの積み上げ段数を増減して基部の高さ、重量を調整することができる。
【課題を解決するための手段】
【００１５】
１．敷地を整地して設置するプレキャストコンクリートブロックの基礎であって、
敷地に設置した基礎の上に架台の脚部を固定し、架台の取付部の上にソーラーパネルを取り付け、ソーラーパネルを発電効率が高くなる設計姿勢にするソーラーパネル設置用の基礎において、
架台の脚部の１箇所を支える単独の基礎にし、
単独の基礎は、敷地に設置する基部と、架台の脚部の１箇所を上端に固定する柱状部を設け、
基部は上面に竪穴を開口し、柱状部は基部の竪穴に挿入し、
竪穴内の柱状部は、下端を竪穴の底に当て、上端の架台固定位置を基部の上側に配置し、竪穴との間に隙間を形成し、竪穴の中心位置から前側、後側、左側又は右側のどの側にも傾斜可能にし、
竪穴内の柱状部は、竪穴の中心位置から傾いている姿勢又は傾いていない姿勢で基部に固定可能にし、
敷地に設置した基部が傾いていないときは、竪穴内の柱状部を竪穴の中心位置に保持して基部に固定する構成にし、
敷地に設置した基部が傾いているときは、竪穴内の柱状部を基部の傾きと反対側に傾けて竪穴の中心位置から傾いている姿勢で基部に固定し、基部の傾きに基づく架台固定位置のずれを低減する構成にしていることを特徴とするソーラーパネル設置用の基礎。
２．上記１のソーラーパネル設置用の基礎において、
基部は、複数の部分ブロックを積み上げて構成していることを特徴とする。
３．上記１又は２のソーラーパネル設置用の基礎において、
竪穴内の柱状部と竪穴の間の隙間にセメントモルタル又はセメントペーストを詰めて基部と柱状部を一体化する構成にしていることを特徴とする。
４．上記１、２又は３のソーラーパネル設置用の基礎において、
竪穴内の柱状部と竪穴の間の隙間に楔を打ち込んで柱状部を基部に固定する構成にしていることを特徴とする。
５．上記１〜４のいずれかのソーラーパネル設置用の基礎において、
柱状部は、下端面を凸状の球面にしていることを特徴とする。
６．上記１〜５のいずれかのソーラーパネル設置用の基礎において、
竪穴は、底面を凹状の球面又は円錐面にしていることを特徴とする。
７．上記１〜６のいずれかのソーラーパネル設置用の基礎において、
基部は、平面外形状を円形状、方形状又は多角形状にしていることを特徴とする。
【発明の効果】
【００１６】
敷地の整地が不十分で基部が傾いても、柱状部の架台固定位置のずれを少なくすることができる。
また、大型の重機や施工機械が使用できない敷地や、傾斜地の敷地であっても、整地の手間や基礎の運搬、設置の手間が少なくなる。
【図面の簡単な説明】
【００１７】
【図１】本発明の実施形態の第１例におけるソーラーパネル設置用の基礎の縦断正面図。
【図２】同基礎の平面図。
【図３】同基礎の基部の部分ブロック分離状態を示す縦断正面図。
【図４】同基部の平面図。
【図５】同基礎の柱状部の正面図。
【図６】同柱状部の平面図。
【図７】同基礎に架台、ソーラーパネルを取り付けた状態を示す一部縦断面図で、ソーラーパネルの右側面図。
【図８】同ソーラーパネルの正面図。
【図９】図７のＡ−Ａ線断面拡大図。
【図１０】図７と同様な図で、同基礎の基部が傾いたときの状態を示す図。
【図１１】図１０のＢ−Ｂ線断面拡大図。
【図１２】図７と同様な図で、同ソーラーパネルを傾斜地に設置した状態を示す図。
【図１３】図１２と同様な図で、同ソーラーパネルを他の傾斜地に設置した状態を示す図。
【図１４】実施形態の第２例におけるソーラーパネル設置用の基礎の縦断正面図。
【図１５】同基礎の平面図。
【図１６】第３例におけるソーラーパネル設置用の基礎の縦断正面図。
【図１７】同基礎の平面図。
【図１８】第４例におけるソーラーパネル設置用の基礎の縦断斜視図。
【図１９】同基礎の平面図。
【発明を実施するための形態】
【００１８】
［第１例（図１〜図１３参照）］
〈基礎の構成（図１〜図６参照）〉
本例のソーラーパネル設置用の基礎は、図１と図２に示す。この基礎は、図３と図４に示す基部と、図５と図６に示す柱状部を設けている。基部と柱状部は、主部材にし、それぞれ、無筋又は鉄筋のプレキャストコンクリートブロックにしている。
【００１９】
基部１は、数個の部分ブロック５、６、７を積み上げて、太くて短い柱状に構成している。基部１の上面は、円形状にし、中心部に竪穴２を開口している。竪穴２は、基部１の下面に対して垂直に配置し、横断面を円形状にしている。また、竪穴２は、底面３を凹状の球面にしている。底面３の凹状球面と基部１の下面の間には、竪穴２と同心状に排出孔４を貫通している。排出孔４は、内径を竪穴２の数分の一にしている。竪穴２に入った雨水やゴミを排出するのに使用する。
【００２０】
最下段の部分ブロック５は、平盤状にし、竪穴２の底部と排出孔４を形成している。最下段部分ブロック５の上面は、位置決め凸部８を左右の位置に設けている。
最上段の部分ブロック６は、平盤状にし、竪穴２の開口部を形成している。最上段部分ブロック６の下面は、位置決め凹部９を左右の位置に設けている。
中間段の部分ブロック７は、平盤状にし、竪穴２の中間部を形成している。中間段部分ブロック７の上面は、位置決め凸部８を左右の位置に設けている。この左右の位置決め凸部８は、上段の部分ブロック下面の左右の位置決め凹部９に嵌まる。また、中間段部分ブロック７の下面は、位置決め凹部９を左右の位置に設けている。この左右の位置決め凹部９には、下段の部分ブロック上面の左右の位置決め凸部８が嵌まる。
【００２１】
柱状部１１は、円柱状にし、竪穴２の深さより長くし、竪穴２の内径より細くしている。柱状部１１の上端面は、中心部にインサートによるネジ穴１２を開口している。このネジ穴１２を使用してソーラーパネル設置用架台の１箇所を柱状部１１の上端面に固定する。ネジ穴１２の位置は、架台固定位置にしている。柱状部１１は、下端面１３を凸状の球面にしている。凸状の球面１３は、竪穴底面の凹状の球面３より曲率半径を短くしている。
【００２２】
基礎の施工時は、基部１を敷地に設置し、竪穴２に柱状部１１を挿入する。すると、柱状部１１は、下端面の凸状球面１３が竪穴底面の凹状球面３に当たる。凸状球面１３は、中心部が凹状球面３の中心部に重なり、排出孔４の上端開口を閉鎖する。柱状部１１の上端は、基部１の上に突き出す。架台固定位置１２が基部１の上側になる。柱状部１１の回りには、竪穴２との間に隙間が形成される。柱状部１１は、竪穴２の中心位置から前側、後側、左側又は右側のどの側にも傾斜可能になる。竪穴２内の柱状部１１は、後記のように、竪穴２の中心位置から傾いている姿勢又は傾いていない姿勢で基部１に固定する。
【００２３】
〈基礎の施工例１（図７〜図９参照）〉
敷地Gには、コンクリート工場から、最下段の部分ブロック５、最上段の部分ブロック６、中間段の部分ブロック７と柱状部１１を搬入する。
敷地Gは、整地して地表を平坦水平にし、地表の平坦水平面に基礎１、１１を設置する。基礎１、１１は、図７と図８に示すように、前後左右の位置に同様に設置する。
【００２４】
各基礎１、１１においては、地表の設計位置に最下段の部分ブロック５を配置する。最下段の部分ブロック５の上には、中間段の部分ブロック７を積み重ねる。その際、中間段の部分ブロック７は、左右の位置決め凹部９を最下段部分ブロック５の左右の位置決め凸部８に嵌める。中間段の部分ブロック７の上には、最上段の部分ブロック６を積み重ねる。その際、最上段の部分ブロック６は、左右の位置決め凹部９を中間段部分ブロック７の左右の位置決め凸部８に嵌める。最下段、中間段と最上段の３個の部分ブロック５、６、７を同心状に積み上げて、基部１を構成する。
【００２５】
基部１の上面に開口した竪穴２には、柱状部１１を挿入する。すると、柱状部１１は、下端面の凸状球面１３が竪穴底面の凹状球面３に当たる。排出孔４は、上端開口が閉鎖する。基部１の上側には、柱状部１１の上端が突き出し、架台固定位置１２が位置する。柱状部１１は、その回りに竪穴２との間に隙間が形成され、竪穴２の中心位置から前側、後側、左側又は右側のどの側にも傾斜可能になる。
【００２６】
敷地Gの整地に不備がなく、基部１が傾かず、基部１の竪穴２の中心軸が鉛直であるときは、図７〜図９に示すように、柱状部１１は、鉛直にし、竪穴２の中心位置に配置する。竪穴２の開口部と柱状部１１の間の隙間には、楔１６を打ち込む。複数の楔１６で、柱状部１１を竪穴２の中心位置に保持して基部１に固定する。なお、楔１６は、合成樹脂成形品にしている。
次に、竪穴２、柱状部１１と楔１６の間の隙間には、セメントモルタル１７を流し込んで充填する。隙間に詰めたセメントモルタル１７が硬化すると、柱状部１１は、竪穴２の中心位置から傾いていない姿勢、鉛直姿勢で基部１に固定される。架台固定位置１２は、基部１の上側に配置される。基部１は、部分ブロック５、６、７が一体化する。基部１と柱状部１１が一体化する。
【００２７】
基礎１、１１は、前後左右の設計位置に設置した後、前後左右の架台固定位置１２にそれぞれ架台の脚部２１の１箇所を固定する。架台の取付部２２には、ソーラーパネル２３を重ねて固定する。
【００２８】
〈基礎の施工例２（図１０、図１１参照）〉
施工例１において、敷地Gの整地が不十分であって基部１が傾き、基部１の竪穴２の中心軸が鉛直から傾いているときは、次のようにする。
【００２９】
竪穴２内の柱状部１１は、図１０と図１１に示すように、竪穴２の中心位置から基部１の傾きと反対側に傾ける。鉛直姿勢又は鉛直に近い姿勢にする。竪穴２の開口部と柱状部１１の間の隙間には、楔１６を打ち込む。複数の楔１６で、柱状部１１を竪穴２の中心位置から傾いている姿勢、鉛直姿勢又は鉛直に近い姿勢に保持して基部１に固定する。
【００３０】
次に、竪穴２、柱状部１１と楔１６の間の隙間には、セメントモルタル１７を施工例１におけるのと同様に詰め込む。柱状部１１は、基部１が傾いていても、鉛直姿勢又は鉛直に近い姿勢で基部１に固定される。架台固定位置１２は、基部１の上側に配置される。各部１、５、６、７、１１が一体化する。架台固定位置１２は、基部１の傾きに基づくずれが柱状部１１の反対側への傾きで消滅する。又は、低減する。架台固定位置１２には、架台の脚部２１を固定する。架台の取付部２２には、ソーラーパネル２３を固定する。
【００３１】
その他の点は、施工例１におけるのと同様である。施工例１におけるのと同様な部分には、図中、施工例１におけるのと同一の符号を付ける。
【００３２】
〈基礎の施工例３（図１２参照）〉
敷地Gが山肌のような傾斜地である。傾斜地表は、図１２に示すように、基礎設置部分のみを整地して平坦水平にする。その平坦水平部分に基礎１、１１を設置する。設置の詳細は、施工例１におけるのと同様にする。
基礎１、１１は、傾斜地表の前後左右の設計位置に設置し、架台固定位置１２に架台の脚部２１を固定し、架台の取付部２２にソーラーパネル２３を固定する。
敷地が傾斜地である場合、平地である場合に比べ、後側の基礎１、１１は、前側のそれより高い位置になる。架台は、後側の脚部２１が短くなる。
【００３３】
敷地Gの整地が不十分であって基部１が傾いているときは、施工例２におけるのと同様にする。竪穴２内の柱状部１１は、竪穴２の中心位置から基部１の傾きと反対側に傾け、鉛直姿勢又は鉛直に近い姿勢で基部１に固定する。
その他の点は、施工例１におけるのと同様である。施工例１におけるのと同様な部分には、図中、施工例１におけるのと同一の符号を付ける。
【００３４】
〈基礎の施工例４（図１３参照）〉
敷地Gが傾斜地である。前側の基礎１、１１は、図１３に示すように、後側のそれより高さを低くしている。前側の基部１は、部分ブロックを２段にし、最下段の部分ブロック５の上に最上段の部分ブロック６を積み重ねている。柱状部１１は、２段の基部１に適した長さにしている。
後側の基礎１、１１は、基部１の部分ブロックを３段にしている。そして、最下段の部分ブロック５は、敷地Gに埋め込んでいる。ソーラーパネル２３が受ける風の力に対する抵抗力が増える。
【００３５】
敷地Gの整地が不十分であって基部１が傾いているときは、施工例２におけるのと同様にする。竪穴２内の柱状部１１は、基部１の傾きと反対側に傾け、鉛直姿勢又は鉛直に近い姿勢で基部１に固定する。
その他の点は、施工例１におけるのと同様である。施工例１におけるのと同様な部分には、図中、施工例１におけるのと同一の符号を付ける。
【００３６】
［第２例（図１４、図１５参照）］
本例のソーラーパネル設置用の基礎は、図１４と図１５に示すように、基部１の積み上げた部分ブロック５、６、７同士の結合を強固にするため、ボルト３４を使用している。
【００３７】
最下段の部分ブロック５は、上面にインサートによるネジ穴３１を開口している。ネジ穴３１は、左右の位置に配置している。
最上段の部分ブロック６は、ボルト孔３２を上下方向に貫通している。ボルト孔３２は、上端部を大径にし、ボルト３４の頭部を没入する大径部を設けている。このボルト孔３２は、左右の位置に配置している。
中間段の部分ブロック７は、ボルト孔３３を上下方向に貫通している。ボルト孔３３は、左右の位置に配置している。
【００３８】
基部１は、敷地に設置する際、最下段の部分ブロック５、中間段の部分ブロック７と最上段の部分ブロック６を積み上げ、左右のネジ穴３１、ボルト孔３３とボルト孔３２をそれぞれ上下方向に連通する。そして、ボルト３４は、ボルト孔３２とボルト孔３３に挿入し、ネジ穴３１に捩じ込む。ボルト３４の頭部は、ボルト孔３２の大径部に没入する。積み上げた部分ブロック５、６、７は、左右のボルト３４で結合する。
【００３９】
その後、竪穴２に挿入した柱状部１１と竪穴２の間の隙間にセメントモルタル１７を充填する際、ボルト孔３２の大径部にもセメントモルタルを充填する。そのセメントモルタルには、ボルト３４の頭部を埋没する。基部１の部分ブロック５、６、７は、ボルト３４とセメントモルタル１７で強固に結合する。
その他の点は、第１例におけるのと同様である。第１例におけるのと同様な部分には、図中、第１例におけるのと同一の符号を付ける。
【００４０】
［第３例（図１６、図１７参照）］
本例のソーラーパネル設置用の基礎は、図１６と図１７に示すように、基部１と柱状部１１の結合を強固にするため、ボルトナット４５、４６、４７、４８を使用している。
【００４１】
最上段の部分ブロック６は、ボルト孔４１を左右方向に貫通している。ボルト孔４１は、竪穴２を横断している。ボルト孔４１の左右の端部は、それぞれ、大径部にしている。中間段の部分ブロック７も、同様に、ボルト孔４２を設けている。最下段の部分ブロック５は、ボルト孔を設けず、第１例におけるのと同様にしている。
柱状部１１は、竪穴２に挿入したときに、最上段のボルト孔４１と同心状になるボルト通過孔４３と、中間段のボルト孔４２と同心状になるボルト通過孔４４を、それぞれ、左右方向に貫通している。ボルト通過孔４３、４４は、ボルト孔４１、４２より大径にしている。
【００４２】
敷地に設置した基部１、５、６、７は、竪穴２に柱状部１１を挿入する。ボルト通過孔４３は最上段のボルト孔４１と、ボルト通過孔４４は中間段のボルト孔４２と、それぞれ、同心状に配置する。そして、ボルト４５は、最上段のボルト孔４１とボルト通過孔４３に挿入する。ボルト４５の頭部は、ボルト孔４１の片端の大径部に没入する。ボルト４５の先端部は、ボルト孔４１の他端の大径部に突出し、ナット４６を螺合する。また、ボルト４７は、同様に、中間段のボルト孔４２とボルト通過孔４４に挿入する。ボルト４７の頭部は、ボルト孔４２の片端の大径部に没入する。ボルト４７の先端部は、ボルト孔４２の他端の大径部に突出し、ナット４８を螺合する。基部１と柱状部１１は、上下のボルトナット４５、４６、４７、４８で連結する。なお、ボルト４５とボルト通過孔４３の間、ボルト４７とボルト通過孔４４の間には、それぞれ、隙間を設けている。柱状部１１の傾斜を妨げない構成にしている。
【００４３】
その後、柱状部１１と竪穴２の間の隙間にセメントモルタル１７を充填する際、ボルト４５とボルト通過孔４３の間の隙間、ボルト４７とボルト通過孔４４の間の隙間、ボルト孔４１、４２の左右の大径部にもセメントモルタルを充填する。上下のボルトナット４５、４６、４７、４８は、セメントモルタルに埋没する。基部１と柱状部１１は、ボルトナット４５、４６、４７、４８とセメントモルタル１７で強固に結合する。
その他の点は、第１例におけるのと同様である。第１例におけるのと同様な部分には、図中、第１例におけるのと同一の符号を付ける。
【００４４】
［第４例（図１８、図１９参照）］
本例のソーラーパネル設置用の基礎は、図１８と図１９に示すように、基部１の平面外形状、部分ブロック５、６、７の平面外形状を、方形状にしている。
その他の点は、第１例におけるのと同様である。第１例におけるのと同様な部分には、図中、第１例におけるのと同一の符号を付ける。
【００４５】
［変形例］
本発明は、上記の実施形態に限定されない。次のような変形が例示される。
１．上記の実施形態において、基部１は、複数の部分ブロックで構成しているが、１個の全体ブロックで構成する。
２．上記の実施形態において、基部１を構成する部分ブロック５、６、７の個数は、３個又は２個にしているが、４個又は５個以上にする。
３．上記の実施形態の第１、３、４例において、最上段の部分ブロック６は、中間段の部分ブロック７とは位置決め凸部８の有無で異なっているが、中間段の部分ブロック７と同じにする。
４．上記の実施形態において、基部１、部分ブロック５、６、７は、平面外形状を円形状又は方形状にしているが、多角形状にする。
５．上記の実施形態において、柱状部１１と竪穴２は、横断面形状を円形状にしているが、多角形状又は方形状にする。
６．上記の実施形態において、竪穴２の底面３は、凹状の球面にしているが、凹状の円錐面にする。
７．上記の実施形態において、基部１は、排出孔４を設けているが、排出孔４を設けない。
８．上記の実施形態において、柱状部１１と竪穴２の間に詰め込む結合材は、セメントモルタル１７にしているが、セメントペーストにする。又は、その他にする。
９．上記の実施形態において、楔１６は、合成樹脂製にしているが、その他の材質にする。
【符号の説明】
【００４６】
１、１１  ソーラーパネル設置用の基礎
１  基部
２  竪穴
３  竪穴の底面、凹状の球面
４  排出孔
５  最下段の部分ブロック
６  最上段の部分ブロック
７  中間段の部分ブロック
８  位置決め凸部
９  位置決め凹部
１１  柱状部
１２  ネジ穴、架台固定位置
１３  柱状部の下端面、凸状の球面
１６  楔
１７  セメントモルタル
G  敷地
２１  架台の脚部
２２  架台の取付部
２３  ソーラーパネル
３１  ネジ穴
３２  ボルト孔
３３  ボルト孔
３４  ボルト
４１  ボルト孔、最上段のボルト孔
４２  ボルト孔、中間段のボルト孔
４３  ボルト通過孔
４４  ボルト通過孔
４５  ボルト
４６  ナット
４７  ボルト
４８  ナット
【図１】
0005635048.tif 000002
【図２】
0005635048.tif 000003
【図３】
0005635048.tif 000004
【図４】
0005635048.tif 000005
【図５】
0005635048.tif 000006
【図６】
0005635048.tif 000007
【図７】
0005635048.tif 000008
【図８】
0005635048.tif 000009
【図９】
0005635048.tif 000010
【図１０】
0005635048.tif 000011
【図１１】
0005635048.tif 000012
【図１２】
0005635048.tif 000013
【図１３】
0005635048.tif 000014
【図１４】
0005635048.tif 000015
【図１５】
0005635048.tif 000016
【図１６】
0005635048.tif 000017
【図１７】
0005635048.tif 000018
【図１８】
0005635048.tif 000019
【図１９】
0005635048.tif 000020